(57)【要約】【課題】集積された用紙の折り目部の端部近傍に綴じ針を打ち込む場合に、幅整合部と押さえ部の干渉を防ぎつつ、綴じ位置の精度を確保する。【解決手段】中綴じ処理制御部５０５は、２つの押さえ部材のうち、鞍掛け部に集積された用紙の折り目部の用紙搬送方向中央に近い方の押さえ部材に用紙を押さえさせ、先端側幅整合部材用紙の端部から離間させる方向に退避させた後、押さえ部材に用紙を押さえさせた状態で、打ち込み部に用紙の前記折り目部に綴じ針を打ち込ませる。【選択図】図８
2015051823.tif 000002
【特許請求の範囲】
【請求項１】
中央部に折り目部が形成された山形の状態で搬送される用紙を跨らせた状態で集積する鞍掛け部と、
前記鞍掛け部に集積された用紙の端部に当接して、当該用紙を用紙搬送方向に整合する整合部材と、
前記鞍掛け部の上方に設けられ、前記鞍掛け部に集積された用紙の前記折り目部に対して綴じ針を打ち込む打ち込み部と、
前記鞍掛け部の内部に用紙を挟んで前記打ち込み部と対向して設けられ、前記打ち込み部により打ち込まれた綴じ針の針先を受け止めて折り曲げる受針部と、
前記鞍掛け部に集積された用紙の前記折り目部と平行な方向に沿って前記打ち込み部を挟んで設けられ、上下方向に移動して用紙を押さえる２つの押さえ部材と、
前記２つの押さえ部材を駆動する駆動部と、
前記駆動部を駆動し、前記２つの押さえ部材のうち前記鞍掛け部に集積された用紙の前記折り目部の用紙搬送方向中央に近い一方の押さえ部材に用紙を押さえさせ、前記整合部材を用紙の端部から離間させる方向に退避させた後、前記２つの押さえ部材のうち他方の押さえ部材に用紙を押さえさせて、前記打ち込み部に用紙の前記折り目部に綴じ針を打ち込ませる制御部と、
を備えることを特徴とする用紙処理装置。
【請求項２】
前記２つの押さえ部材の各々は、上下方向に回動自在に軸支されると共に付勢部材により基端部が上方に付勢されたアーム部の先端部に設けられ、
前記駆動部は、
駆動モーターと、
前記駆動モーターにより前記アーム部の回動軸に平行な軸回りに回転する軸部と、
前記軸部に連結され、回転位相を異ならせて設けられた２つのカム部と、
を備え、
前記２つのカム部は、各々の前記アーム部の基端部に当接して当該基端部を下方に押し下げ、前記軸部の回転により回転して所定の時間差にて各々の前記アーム部の基端部から離間することを特徴とする請求項１に記載の用紙処理装置。
【請求項３】
前記受針部は、
前記打ち込み部から打ち込まれた綴じ針の針先を受け止めて折り曲げる針受け部と、
前記針受け部を挟んで前記２つの押さえ部材と対向する位置に設けられた２つの支持部と、
を備え、
前記２つの支持部は、前記針受け部の上面より突出すると共に、前記２つの押さえ部材からの押圧により、上面位置が下がるように構成されていることを特徴とする請求項１又は２に記載の用紙処理装置。
【請求項４】
用紙に対して画像を形成する画像形成装置と、
前記画像形成装置に接続され、前記画像形成装置により画像が形成された用紙の中央部の折り目部上を綴じ針により綴じる中綴じ処理を行う請求項１〜３の何れか一項に記載に用紙処理装置と、
を備えたことを特徴とする画像形成システム。
【発明の詳細な説明】
【技術分野】
【０００１】
本発明は、用紙処理装置及び画像形成システムに関する。
【背景技術】
【０００２】
従来、中央部に折り目部の形成された山形の用紙を跨らせた状態に順次集積していく鞍掛け部と、鞍掛け部に集積された用紙の幅方向の位置揃えをする整合部材と、集積された用紙の折り目部に上方から綴じ針を打ち込む打針手段と、用紙を挟んで打針手段と対向して設けられ、打針手段により打ち込まれた綴じ針の針先を受け止めて折り曲げる受針手段と、を有する中綴じ処理部によって、冊子を形成する用紙処理装置が知られている。
【０００３】
このような鞍掛け方式の中綴じ処理においては、綴じ位置のずれ防止等のため、打針手段により用紙に綴じ針を打ち込む前に、打針手段の両側から押さえ部材により用紙を押さえる技術が提案されている（例えば、特許文献１参照）。
【先行技術文献】
【特許文献】
【０００４】
【特許文献１】特開２００５−６００９４号公報
【発明の概要】
【発明が解決しようとする課題】
【０００５】
しかしながら、用紙の折り目部の端部近傍に打針する場合には、その端部側の押さえ部材と整合部材とが干渉してしまうことがある。そこで、押さえ部材で用紙を押さえる前に整合部材を退避させると、用紙が押さえられていない瞬間が生まれるので、綴じ位置の精度が確保できない恐れがある。また、整合部材を退避させなくて済むように、押さえ部材で押さえないこととすると、綴じ位置のずれが発生する恐れがある。
【０００６】
本発明は、上記課題に鑑みてなされたものであり、その目的は、集積された用紙の折り目部の端部近傍に綴じ針を打ち込む場合に、整合部材と押さえ部材の干渉を防ぎつつ、綴じ位置の精度を確保することのできる用紙処理装置及び画像形成システムを提供することである。
【課題を解決するための手段】
【０００７】
上記課題を解決するため、本発明の一態様によれば、
用紙処理装置において、
中央部に折り目部が形成された山形の状態で搬送される用紙を跨らせた状態で集積する鞍掛け部と、
前記鞍掛け部に集積された用紙の端部に当接して、当該用紙を用紙搬送方向に整合する整合部材と、
前記鞍掛け部の上方に設けられ、前記鞍掛け部に集積された用紙の前記折り目部に対して綴じ針を打ち込む打ち込み部と、
前記鞍掛け部の内部に用紙を挟んで前記打ち込み部と対向して設けられ、前記打ち込み部により打ち込まれた綴じ針の針先を受け止めて折り曲げる受針部と、
前記鞍掛け部に集積された用紙の前記折り目部と平行な方向に沿って前記打ち込み部を挟んで設けられ、上下方向に移動して用紙を押さえる２つの押さえ部材と、
前記２つの押さえ部材を駆動する駆動部と、
前記駆動部を駆動し、前記２つの押さえ部材のうち前記鞍掛け部に集積された用紙の前記折り目部の用紙搬送方向中央に近い一方の押さえ部材に用紙を押さえさせ、前記整合部材を用紙の端部から離間させる方向に退避させた後、前記２つの押さえ部材のうち他方の押さえ部材に用紙を押さえさせて、前記打ち込み部に用紙の前記折り目部に綴じ針を打ち込ませる制御部と、
を備えることを特徴とする。
【０００８】
また、本発明の他の態様によれば、
画像形成システムにおいて、
用紙に対して画像を形成する画像形成装置と、
前記画像形成装置に接続され、前記画像形成装置により画像が形成された用紙の中央部の折り目部上を綴じ針により綴じる中綴じ処理を行う上記用紙処理装置と、
を備えたことを特徴とする。
【発明の効果】
【０００９】
本発明によれば、集積された用紙の折り目部の端部近傍に綴じ針を打ち込む場合に、幅整合部と押さえ部の干渉を防ぎつつ、綴じ位置の精度を確保することができる。
【図面の簡単な説明】
【００１０】
【図１】画像形成システムの全体構成を示す概略模式図である。
【図２】用紙処理装置の中折り部の構成の一例を示す概略模式図である。
【図３】用紙処理装置の搬送部の構成の一例を示す概略斜視図である。
【図４】用紙処理装置の中綴じ処理部の構成の一例を示す概略斜視図である。
【図５】図４の中綴じ処理部を前側からみた側面図である。
【図６】図４の中綴じ処理部を左側からみた側面図である。
【図７】カム部の構成を示す概略図である。
【図８】画像形成システムの動作制御に係る主要構成を示すブロック図である。
【図９】押さえ部材の動作を説明するためのフローチャートである。
【図１０】押さえ部材が用紙を押さえる様子を説明するための図である。
【発明を実施するための形態】
【００１１】
以下、図面を参照して本発明の一実施形態である画像形成システム１について説明する。
【００１２】
図１は、画像形成システム１の全体構成を示す概略模式図である。
画像形成システム１は、画像形成装置１００と、中間搬送装置２００と、中綴じ処理装置３００と、平綴じ処理装置４００と、を有している。
なお、以下の説明において、鉛直方向をＺ方向とし、図１に示す画像形成装置１００、中間搬送装置２００、中綴じ処理装置３００及び平綴じ処理装置４００が互いに接続される方向に沿う方向をＸ方向とし、Ｘ方向及びＺ方向に直交する方向をＹ方向とする。
また、Ｘ方向について前側及び後側を付して説明し、Ｙ方向について右側及び左側を付して説明する。ここで、前側は、画像形成システム１における用紙搬送方向の上流側であり、後側は、その下流側である。また。右側は、中綴じ処理装置３００の中折り・中綴じ処理における用紙搬送方向の上流側であり、左側は、その下流側である。
【００１３】
画像形成装置１００は、用紙に画像を形成する。
具体的には、画像形成装置１００は、例えば、記録媒体として備蓄された用紙を用紙トレイから引き出して搬送する搬送部、ビットマップデータに応じたトナー像を転写ローラー等の一次転写部材に現像する現像部、一次転写部材に現像されたトナー像を転写ドラム１５０等の二次転写部材に転写する一次転写部、二次転写部材に転写されたトナー像を搬送部により搬送される用紙に転写する二次転写部、転写されたトナー像を用紙に定着させる定着部、及び定着部による定着処理後の用紙を排出する排出部等を備え、用紙に画像を形成する。
また、画像形成装置１００は、画像が形成されて排出される用紙を中間搬送装置２００に受け渡す。即ち、画像形成システム１は、画像形成装置１００から排出される用紙が中間搬送装置２００に受け渡されるよう接続されている。
【００１４】
中間搬送装置２００は、用紙を一時的に待機させると共に、用紙に対して筋付け及び断裁を施すことの可能な装置である。
具体的には、中間搬送装置２００は、例えば、画像形成装置１００から搬送された用紙を下降させるように搬送して用紙の紙面をＺ方向にほぼ沿わせた状態で一旦停止させて待機させる待機部（スタッカー）、待機中の用紙の位置を整合する整合部、整合された用紙に筋付けを行う筋付け部（クリーサー）、及び筋付けが施された用紙を搬送しながら当該用紙の余白部分を断裁する断裁部（スリッター）等を備える。
即ち、中間搬送装置２００は、画像形成装置１００から受け渡された用紙を待機部において一旦停止させた状態で整合部により整合を行い、次いで筋付け部により筋付け処理を行った後、筋付けが施された用紙を搬送しながら当該用紙の余白部分を断裁部により断裁する。その後、中間搬送装置２００は、断裁部により余白部分の断裁された用紙を中綴じ処理装置３００に受け渡す。
なお、中間搬送装置２００は、画像形成装置１００から受け渡された用紙に対して、中間搬送装置２００による各種の処理の一部又は全部を施さずに中綴じ処理装置３００に受け渡すこともできる。
【００１５】
中綴じ処理装置３００は、用紙処理装置として、用紙を中折り（二つ折り）にする中折り処理、中折りされた用紙を所定枚数重ね合わせて綴じることにより中綴じ冊子を作成する中綴じ処理、中綴じ冊子の小口断裁を行う断裁処理等を行う装置である。
具体的には、中綴じ処理装置３００は、例えば、中間搬送装置２００から受け渡された用紙をＹ方向に沿って中折りする中折り部３１０、中折り部３１０により中折りされた用紙を、当該用紙の折り目部に沿った方向（Ｙ方向）に搬送する搬送部３２０、搬送部３２０により搬送された用紙を重ね合わせた後、用紙束に対して打針して中綴じする中綴じ処理部３３０、中綴じされた用紙束の小口端部の断裁処理を行う断裁部３７０、及び小口端部の断裁された中綴じ冊子を外部に排出する排出部３８０等が備えられている。
なお、かかる中綴じ処理装置３００は、中間搬送装置２００から受け渡された用紙に対して、中綴じ処理装置３００による各種の処理の一部又は全部を施さずに平綴じ処理装置４００に受け渡すこともできる。また、中綴じ処理装置３００は、さらに、中綴じ冊子の背表紙を整形するスクエアフォールド処理を行うための処理部等を備えていてもよい。
【００１６】
図２は、中折り部３１０の構成の一例を示す概略模式図である。
中折り部３１０は、例えば、画像形成装置１００から受け渡された用紙を所定位置まで搬送する搬送機構３１１、所定位置にて停止した用紙の上方に位置する一対の中折りローラー３１２ａ，３１２ｂ、及び一対の中折りローラー３１２ａ，３１２ｂの下方に位置し、一対の中折りローラー３１２ａ，３１２ｂの間に進入するように動作可能な板状の折りナイフ３１３等を備えて構成される。
【００１７】
搬送機構３１１は、複数の搬送ローラー対３１１ａにより、画像形成装置１００から受け渡された用紙を、当該用紙の表面がＸ−Ｙ平面に略平行な状態で後方に搬送すると共に、搬送経路上に設けられたストッパー３１１ｂにより、搬送される用紙の搬送方向下流側の端部を係止して所定位置に位置決めして停止させる。
ここで、所定位置とは、搬送される用紙のＸ方向の中央部が、折りナイフ３１３に対向することとなる位置である。用紙をかかる所定位置にて停止するため、搬送経路上のストッパー３１１ｂの位置は、用紙サイズに応じて適宜設定される。
【００１８】
一対の中折りローラー３１２ａ，３１２ｂは、それぞれが回転可能に設けられた円筒状のローラーであり、互いの外周面同士を当接させてＹ方向に沿うニップ部を形成する。
【００１９】
折りナイフ３１３は、Ｙ−Ｚ平面に沿うよう配設された板状部材である。折りナイフ３１３は、一対の中折りローラー３１２ａ，３１２ｂと当該折りナイフ３１３との間に用紙が位置した状態で一対の中折りローラー３１２ａ，３１２ｂの間に進入することで、用紙をニップ部に押し込む動作を行う。これにより、用紙は、折りナイフ３１３との当接位置においてＹ方向に沿った折り目部が形成された状態に中折りされる。即ち、用紙は、折り目部が上側でその両端の小口が下側となる所謂山折り形状（山形の用紙）となる。
なお、こうした中折り処理は、一枚毎に用紙を折るよう設定されても良いし、複数枚毎（例えば、３枚毎）に用紙を折るよう設定されても良い。
【００２０】
図３は、搬送部３２０の構成の一例を示す概略斜視図である。
搬送部３２０は、例えば、２つの搬送ベルト３２１，３２１を備えて構成される。
２つの搬送ベルト３２１，３２１は、図２、３に示すように、折りナイフ３１３を挟んでＹ方向に延在するよう配置され、中折りされた用紙をその折り目部に沿った方向（Ｙ方向）に搬送する。
２つの搬送ベルト３２１，３２１は、折りナイフ３１３のＺ方向の上昇及び下降によって用紙が中折りされた後に回動を開始する。
ここで、各搬送ベルト３２１の外側には、搬送ベルト３２１の表面から突出する当接部３２１ａが固設されている。当接部３２１ａは、搬送ベルト３２１，３２１の回動に伴って搬送ベルト３２１，３２１の周囲を移動して、中折り処理された用紙の搬送方向後端（右端）に当接し、当接した状態で当該用紙を集積部３４０まで押し出した後、用紙の搬送方向後端に当接する前の当初位置まで復帰する周回移動を行う。
中折りされた用紙は、こうした搬送部３２０により中綴じ処理部３３０の集積部３４０（後述）に搬送される。
【００２１】
図４は、中綴じ処理部３３０の構成の一例を示す斜視図である。また、図５は、図４の中綴じ処理部３３０を前側からみた側面図であり、図６は、図４の中綴じ処理部を左側からみた側面図である。なお、図４においては、先端側幅整合部材３４３の図示を省略している。また、図６においては、ガイド部材３４２の図示を省略している。
中綴じ処理部３３０は、搬送部３２０により搬送された用紙を重ね合わせて集積する集積部３４０と、集積部３４０の上方に設けられた打針部３５０と、集積部３４０の内部に設けられた受針部３６０と、これらを支持する支持部Ｓと、を備えている。
【００２２】
支持部Ｓは、Ｘ方向に延在する基台部Ｓ１と、基台部Ｓ１の後端部から起立した立設部Ｓ２とを備えている。基台部Ｓ１の前端部には、集積部３４０及び受針部３６０が設けられ、立設部Ｓ２の上端部には、打針部３５０が設けられている。
【００２３】
集積部３４０は、搬送部３２０の左端部に隣接する位置に設けられている。
集積部３４０は、例えば、搬送部３２０により搬送されてきた用紙が載置される鞍掛け部３４１と、鞍掛け部３４１の右端部上方に設けられたガイド部材３４２と、用紙の搬送方向先端を突き当てさせる先端側幅整合部材３４３と、用紙の搬送方向後端を軽打して用紙の搬送方向の整合を行う後端側幅整合部材３４４と、を備えている。
【００２４】
鞍掛け部３４１は、上部が略９０°の角度の凸形状をなし、その上部に、搬送部３２０により搬送されてきた山折り状態の用紙を跨らせた状態に載置させる。
鞍掛け部３４１には、形成しようとする冊子の最内側の頁にあたる用紙を最下面として、１冊の冊子を形成する用紙が中折り処理が完了する都度排出され、順次載置されていく。
また、鞍掛け部３４１の左端側上部には、当該鞍掛け部３４１の内部に設けられた受針部３６０の上部を露出させる切り欠き部３４１ａが形成されている。
【００２５】
ガイド部材３４２は、搬送部３２０により搬送されてきた用紙を鞍掛け部３４１上に案内するためのものである。
ガイド部材３４２は、鞍掛け部３４１の右端部上方においてＹ方向に沿って延在した板体であり、用紙搬送方向の上流から下流に向かうに従い鞍掛け部３４１に近づくよう傾斜して設置されている。
搬送部３２０により搬送されてきた用紙は、鞍掛け部３４１及びガイド部材３４２の間隙に向かって押し出され、ガイド部材３４２により案内されて鞍掛け部３４１上を右側から左側に向かって進むこととなる。
【００２６】
図５に示されているように、先端側幅整合部材３４３は、鞍掛け部３４１よりも用紙搬送方向の下流側に立設され、鞍掛け部３４１上を右側から左側に向かって進む用紙の搬送方向先端を突き当てさせて、当該用紙を停止させる。これにより、鞍掛け部３４１の頂部稜線上の所定位置に中折り処理された用紙が載置される。
なお、先端側幅整合部材３４３はＹ方向に移動可能であって、先端側幅整合部材３４３のＹ方向の位置は、鞍掛け部３４１上に集積される用紙のサイズや、当該用紙に対して綴じ針を打ち込む綴じ位置に応じて適宜設定される。
【００２７】
後端側幅整合部材３４４は、鞍掛け部３４１の右端側上部において、鞍掛け部３４１の頂部稜線に沿ってＹ方向に移動可能に設けられている。後端側幅整合部材３４４は、鞍掛け部３４１に用紙が載置されると、鞍掛け部３４１の頂部稜線上をＹ方向に往復移動することで、当該用紙の搬送方向後端を軽打して、用紙を搬送方向に整合する。
【００２８】
打針部３５０は、例えば、鞍掛け部３４１に載置された用紙に対して綴じ針を打ち込む打ち込み部３５１と、Ｙ方向に沿って打ち込み部３５１を挟んで設けられた２つの押さえ部材３５２Ｒ，３５２Ｌと、２つの押さえ部材３５２Ｒ，３５２Ｌを上下方向に駆動させる駆動部３５３を備えている。
【００２９】
打ち込み部３５１は、図示しないモーターの駆動によって、図６の矢印Ａ方向に回動可能に設けられている。
打ち込み部３５１は、内部に綴じ針が収納され、回動して集積された用紙に当接した際に、その下端部に設けられた図示しない打ち出し口から綴じ針を打ち出す。
この打ち込み部３５１は、２つの押さえ部材３５２Ｒ，３５２Ｌが下降した後に下降し、用紙の頂部稜線上（折り目部上）に綴じ針を打ち出すようになっている。
【００３０】
２つの押さえ部材３５２Ｒ，３５２Ｌは、打ち込み部３５１を挟むようにＹ方向に沿って設けられている。２つの押さえ部材３５２Ｒ，３５２Ｌの下面には、用紙の折り目部と平行な方向（Ｙ方向）に沿って延在する逆Ｖ字形状の案内溝３５２ａが形成されている。
２つの押さえ部材３５２Ｒ，３５２Ｌは、それぞれ、回動軸Ｇ１回りに揺動可能なアーム部３５２ｂ，３５２ｂの先端部に備えられており、鞍掛け部３４１に一冊分の所定枚数の用紙が載置されると、駆動部３５３の駆動によってアーム部３５２ｂが図６の矢印Ａ方向に回動することで、順次下降する。このとき、押さえ部材３５２Ｒ，３５２Ｌの案内溝３５２ａが用紙の頂部形状に合致し、用紙を押さえやすくなっている。
【００３１】
アーム部３５２ｂは、基端部が付勢部材３５２ｃにより、回動軸Ｇ１回りの上方側に付勢されている。
【００３２】
付勢部材３５２ｃは、例えば引張コイルバネであり、その上端が打ち込み部３５１の左右両側に設けられた側壁の上部に連結され、下端がアーム部３５２ｂの基端部に連結された状態で、アーム部３５２ｂの基端部を上方に付勢している。
なお、図４、６においては、付勢部材３５２ｃを１つのアーム部３５２ｂに対して２つ設けた場合を例示しているが、アーム部３５２ｂの基端部に十分な付勢力を付与できれば、付勢部材３５２ｃの数はこれに限定されない。
【００３３】
駆動部３５３は、２つの押さえ部材３５２Ｒ，３５２Ｌの各々のアーム部３５２ｂに連結される１つの駆動モーターＭと、駆動モーターＭにより回転する軸部Ｇ２と、軸部Ｇ２に連結された２つのカム部３５４Ｒ，３５４Ｌ等を備えている。
【００３４】
駆動モーターＭは、例えばステッピングモータ等のパルスモーターであり、中綴じ処理制御部５０５の制御によりローターを所定の角度ずつ前方にステップ駆動する。これにより、軸部Ｇ２に回転駆動力が付与される。
軸部Ｇ２は、アーム部３５２ｂの回動軸に平行な軸回りに回転する。
２つのカム部３５４Ｒ，３５４Ｌは、２つの押さえ部材３５２Ｒ，３５２Ｌの各々のアーム部３５２ｂの基端部に当接して当該基端部を下方に押し下げ、軸部Ｇ２の回転により回転して所定の時間差にて２つの押さえ部材３５２Ｒ，３５２Ｌの各々のアーム部３５２ｂの基端部から離間する。
【００３５】
図７は、カム部３５４Ｒ，３５４Ｌを示す概略図である。
図７に示すように、２つのカム部３５４Ｒ，３５４Ｌは、同一の形状であって回転位相を互いに異ならせて軸部Ｇ２に連結されている。一例として、ここでは、２つのカム部３５４Ｒ，３５４Ｌは、所定の曲率の円弧により周縁が形成された偏心カム、及び図示しないカムフォロワーを備え、偏心カムは、回転位相を９０°異ならせて設置されている。
カム部３５４Ｒ，３５４Ｌがアーム部３５２ｂの基端部に当接すると、アーム部３５２ｂの基端部が下方に押し下げられる。これにより、アーム部３５２ｂの先端部は上昇し、押さえ部材３５２Ｒ，３５２Ｌは、用紙から離れた状態となる。
また、カム部３５４Ｒ，３５４Ｌが回転してアーム部３５２ｂの基端部から離間すると、アーム部３５２ｂの基端部が付勢部材３５２ｃの付勢力により上昇する。これにより、アーム部３５２ｂの先端部は下降し、押さえ部材３５２Ｒ，３５２Ｌは、用紙を押さえた状態となる。
本実施形態の２つのカム部３５４Ｒ，３５４Ｌは、回転位相が９０°異ならせて設置されているため、図７に示すように、カム部３５４Ｒがアーム部３５２ｂの基端部から離間した後、所定時間（軸部Ｇ２が更に９０°回転する時間）経過後、カム部３５４Ｌがアーム部３５２ｂの基端部から離間する。
【００３６】
受針部３６０は、鞍掛け部３４１の内部に設けられた針受け部３６１と、針受け部３６１を挟んでＹ方向に沿って設置された２つの支持部３６２，３６２を備えている。
【００３７】
針受け部３６１は、鞍掛け部３４１の内部に固設され、その上部は、鞍掛け部３４１の切り欠き部３４１ａにより露出している。針受け部３６１の上面には、打ち込み部３５１により打ち込まれた綴じ針の先端部を突き当てさせて折曲する凹部３６１ａが形成されている。即ち、打ち込み部３５１により用紙に押し付けられて用紙を貫通した綴じ針の先端部は、凹部３６１ａに突き当たることにより折り曲げられる。
【００３８】
支持部３６２，３６２は、針受け部３６１を挟むようにして、Ｙ方向に沿って設けられている。支持部３６２，３６２は、打針部３５０の押さえ部材３５２Ｒ，３５２Ｌと対向する位置において、針受け部３６１の上面より突出すると共に、上方からの押圧により下方に退避可能に設けられている。
具体的に、支持部３６２は、この支持部３６２を上方に突出させる方向に付勢するバネ部材３６２ａにより支持されており、押さえ部材３５２Ｒ，３５２Ｌが下降した際に、押さえ部材３５２Ｒ，３５２Ｌからの押圧により下方に退避するようになっている。
支持部３６２は、Ｘ方向（案内溝の延在方向と直交する方向）の幅が、案内溝３５２ａのＸ方向の幅より狭くなるよう設定された任意の部材であり、本実施形態では、支持部３６２は、Ｙ−Ｚ平面に沿うよう配設された板状部材である。なお、かかる板状部材としては、逆Ｖ字形状の案内溝３５２ａと合致するように、その上端部がとがっていることが好ましい。
【００３９】
断裁部３７０は、上記のようにして中綴じされた冊子の小口端部の断裁処理を行う。即ち、上記のようにして中綴じされた冊子は、当該冊子の用紙枚数によって小口端部が不揃いになっているため、断裁部３７０により断裁して小口部を切り揃える断裁処理が行われる。
【００４０】
排出部３８０は、断裁部３７０により小口端部の断裁処理された冊子を排出する。
【００４１】
図１に戻り、平綴じ処理装置４００は、複数の用紙の平綴じ処理等を行う。
具体的には、平綴じ処理装置４００は、例えば、中綴じ処理装置３００から受け渡された複数の用紙にステープル処理を施すステープル処理部、ステープル処理が施された複数の用紙のうち背表紙と平行な端部を揃えるために当該端部の一部を切り落とす小口断裁を行うページ端断裁部、及び連結された各装置による処理後の用紙を排出する排出部等を備える。
なお、平綴じ処理装置４００は、中綴じ処理装置３００から受け渡された用紙に対して、平綴じ処理装置４００による各種の処理の一部又は全部を施さずに排出することもできる。
【００４２】
次に、画像形成システム１の動作制御について説明する。
図８は、画像形成システム１の動作制御に係る主要構成を示すブロック図である。
【００４３】
画像形成システム１は、画像形成システム１の動作に係るユーザーの入力操作を受け付け、画像形成システム１の動作に係る表示出力を行う操作表示部５０１と、画像形成システム１全体の動作制御を行う中央制御部５０２と、画像形成装置１００の動作制御を行う画像形成制御部５０３と、中間搬送装置２００の動作制御を行う中間搬送制御部５０４と、中綴じ処理装置３００の動作制御を行う中綴じ処理制御部（制御部）５０５と、平綴じ処理装置４００の動作制御を行う平綴じ処理制御部５０６と、を有する。
【００４４】
操作表示部５０１は、例えば、タッチパネル方式の操作表示装置や各種の入力のためのスイッチ、キー等を有し、ユーザーの入力内容に応じた信号を中央制御部５０２に送信する。
中央制御部５０２、画像形成制御部５０３、中間搬送制御部５０４、中綴じ処理制御部５０５及び平綴じ処理制御部５０６はそれぞれ、ＣＰＵ、ＲＡＭ、ＲＯＭ等を有し、処理内容に応じたソフトウェア・プログラムや各種のデータを読み出して実行処理する。
【００４５】
中央制御部５０２は、操作表示部５０１を介して入力されたユーザーの入力内容に応じて、画像形成システム１に係る各種の条件の設定を行う。
この設定条件には、例えば、用紙のサイズや画像形成時の色数（例えば、カラー・グレースケール・モノクロ等）、中折りされる用紙枚数、中折り処理におけるニップ圧、中綴じ処理される一部の用紙の枚数、中綴じ処理を行う用紙の種類、サイズ、坪量、中綴じ処理において用紙の折り目部に対して打ち込む綴じ針の数、中綴じ処理において綴じ針を打ち込む位置（綴じ位置）、余白部分となる端部の断裁の実施／非実施、断裁される端部の幅等が含まれる。
そして、中央制御部５０２は、画像形成制御部５０３、中間搬送制御部５０４、中綴じ処理制御部５０５及び平綴じ処理制御部５０６の各制御部に対して設定内容に応じた処理を施すための命令を出力する。各制御部は、命令に応じてそれぞれの制御対象である装置の動作を制御する。
【００４６】
例えば、中央制御部５０２は、中綴じ処理制御部５０５に対して中折り処理及び中綴じ処理を施すための命令を出力する。
中綴じ処理制御部５０５は、これに応じて中折り部３１０を制御して中折り処理を行い、中綴じ処理部３３０を制御して中綴じ処理を行う。
具体的に、中綴じ処理制御部５０５は、中折り部３１０を制御して用紙に中折り処理を行い、搬送部３２０を制御して中折りした用紙を集積部３４０に搬送し、集積部３４０に所定枚数の用紙を集積する。
そして、中綴じ処理制御部５０５は、打ち込み部３５１が用紙の折り目部に綴じ針を打ち込む際、駆動部３５３を駆動し、２つの押さえ部材３５２Ｒ，３５２Ｌのうち用紙搬送方向上流側の押さえ部材３５２Ｒに用紙を押さえさせ、先端側幅整合部材３４３を用紙搬送方向下流側に退避させた後、用紙搬送方向下流側の押さえ部材３５２Ｌに用紙を押さえさせる。
このように、２つの押さえ部材３５２Ｒ，３５２Ｌ及び先端側幅整合部材３４３の動作を制御することで、用紙の用紙搬送方向下流側の端部近傍に打針する場合、押さえ部材３５２Ｌ及び先端側幅整合部材３４３の干渉を防ぎつつ、用紙を確実に押さえることができる。
【００４７】
ここで、図９に、２つの押さえ部材３５２Ｒ，３５２Ｌの動作を説明するためのフローチャートを示す。また、図１０に、２つの押さえ部材３５２Ｒ，３５２Ｌが用紙を押さえる様子を説明するための図を示す。なお、図１０は、用紙の用紙搬送方向下流側の端部近傍に打針する場合を例示している。
【００４８】
先ず、ステップＳ１において、中綴じ処理制御部５０５は、集積部３４０の鞍掛け部３４１に所定枚数の用紙が集積されたか否かを判断し、所定枚数の用紙が集積されていない場合には（ステップＳ１：ＮＯ）、かかるステップＳ１の処理を繰り返す。
【００４９】
一方、集積部３４０の鞍掛け部３４１に所定枚数の用紙が集積された場合には（ステップＳ１：ＹＥＳ）、続くステップＳ２において、中綴じ処理制御部５０５は、図示しないカウンターによりカウントを開始する。
【００５０】
次いで、ステップＳ３において、中綴じ処理制御部５０５は、駆動モーターＭの駆動を開始する。
これにより、軸部Ｇ２の回転が開始し、所定時間経過すると、カム部３５３Ｒが用紙搬送方向上流側の押さえ部材３５２Ｒのアーム部３５２ｂの基端部から離間するので、この押さえ部材３５２Ｒのアーム部３５２ｂが回動し、図１０（ａ）に示すように、用紙搬送方向上流側の押さえ部材３５２Ｒが下降して、押さえ部材３５２Ｒにより用紙が押さえられる。
【００５１】
次いで、ステップＳ４において、中綴じ処理制御部５０５は、カウンターのカウント値が、押さえ部材３５２Ｒが下降した時点より後となる予め定められた所定時間経過したか否かを判断し、その所定時間が経過していないと判断した場合（ステップＳ４：ＮＯ）、かかるステップＳ４の処理を繰り返す。
【００５２】
一方、所定時間が経過したと判断した場合には（ステップＳ４：ＹＥＳ）、続くステップＳ５において、中綴じ処理制御部５０５は、図１０（ｂ）に示すように、先端側幅整合部材３４３を用紙搬送方向下流側に退避させる。
その後、更に所定時間経過すると、カム部３５３Ｌが用紙搬送方向下流側の押さえ部材３５２Ｌのアーム部３５２ｂの基端部から離間するので、この押さえ部材３５２Ｌのアーム部３５２ｂが回動し、図１０（ｃ）に示すように、用紙搬送方向下流側の押さえ部材３５２Ｌが下降して、押さえ部材３５２Ｌにより用紙が押さえられる。
なお、このとき、支持部３６２，３６２は、押さえ部材３５２Ｒ，３５２Ｌの上方からの押圧により、バネ部材３６２ａの付勢力に抗して下方に退避し、用紙の頂部稜線が押し潰された状態となる。具体的には、約９０°程度の角度であった用紙の頂部が、約１４０°程度の角度まで広げられた状態となる。
【００５３】
次いで、ステップＳ６において、中綴じ処理制御部５０５は、カウンターのカウント値が、押さえ部材３５２Ｌが下降した時点より後となる予め定められた所定時間経過したか否かを判断し、その所定時間が経過していないと判断した場合（ステップＳ６：ＮＯ）、かかるステップＳ６の処理を繰り返す。
【００５４】
一方、所定時間が経過したと判断した場合には（ステップＳ６：ＹＥＳ）、続くステップＳ７において、中綴じ処理制御部５０５は、打ち込み部３５１により、用紙の折り目部の所定位置に対して綴じ針を打ち込み、本処理を終了する。
打ち込み部３５１により用紙の折り目部の所定位置に対して綴じ針を打ち込む際に、押さえ部材３５２Ｒ，３５２Ｌが用紙を押さえた状態を維持しているのは勿論である。即ち、綴じ針を打ち込んだ後、所定時間経過後に、押さえ部材３５２Ｒ，３５２Ｌは上昇するようになっている。
【００５５】
以上のように、本実施形態によれば、中綴じ処理制御部５０５は、２つの押さえ部材３５２Ｒ，３５２Ｌのうち、鞍掛け部３４１に集積された用紙の折り目部の用紙搬送方向中央に近い方の押さえ部材３５２Ｒに用紙を押さえさせ、先端側幅整合部材３４３用紙の端部から離間させる方向（下流側）に退避させた後、押さえ部材３５２Ｌに用紙を押さえさせた状態で、打ち込み部３５１に用紙の前記折り目部に綴じ針を打ち込ませる。
このため、用紙が押さえられていない瞬間が生まれることがなく、綴じ位置の精度を確保することができる。
また、先端側幅整合部材３４３と押さえ部材３５２Ｌの干渉を防ぎつつ、用紙の綴じ位置の両側を押さえることができるので、綴じ位置のずれを防止することができる。
即ち、集積された用紙の折り目部の端部近傍に綴じ針を打ち込む場合に、幅整合部と押さえ部の干渉を防ぎつつ、綴じ位置の精度を確保することができる。
【００５６】
また、本実施形態によれば、２つの押さえ部材３５２Ｒ，３５２Ｌの各々は、上下方向に回動自在に軸支されると共に付勢部材３５２ｃにより基端部が上方に付勢されたアーム部３５２ｂの先端部に設けられ、駆動部３５３は、駆動モーターＭと、駆動モーターＭによりアーム部３５２ｂの回動軸に平行な軸回りに回転する軸部Ｇ２と、軸部Ｇ２に連結され、回転位相を異ならせて設けられた２つのカム部３５４Ｒ，３５４Ｌと、を備え、２つのカム部３５４Ｒ，３５４Ｌは、各々のアーム部３５２ｂの基端部に当接して当該基端部を下方に押し下げ、軸部Ｇ２の回転により回転して所定の時間差にて各々のアーム部３５２ｂの基端部から離間する。
このため、１つの駆動部にて時間差で２つの押さえ部材３５２Ｒ，３５２Ｌを駆動することができるので、コストを安価にすることができる。
【００５７】
また、本実施形態によれば、受針部３６０は、打ち込み部３５１から打ち込まれた綴じ針の針先を受け止めて折り曲げる針受け部３６１と、針受け部３６１を挟んで２つの押さえ部材３５２Ｒ，３５２Ｌと対向する位置に設けられた２つの支持部３６２，３６２と、を備え、支持部３６２，３６２は、針受け部３６１の上面より突出すると共に、押さえ部材３５２Ｒ，３５２Ｌからの押圧により、上面位置が下がるように構成されている。
このため、押さえ部材３５２Ｒ，３５２Ｌと支持部３６２，３６２とにより用紙が挟持された状態となった際に、用紙の頂部稜線上の綴じ位置が押し潰されるので、用紙の下面と針受け部３６１との間の隙間が減り、綴じ針の針先の座屈を防止することができる。
また、用紙の頂部稜線上の綴じ位置が押し潰されるので、押し潰される前の状態と比較して用紙に対する綴じ針の貫通長さが短くなるので、綴じることの可能な用紙枚数を増加させることができる。
【００５８】
なお、上記実施形態においては、押さえ部材３５２Ｒに用紙を押さえさせ、先端側幅整合部材３４３を退避させた後、押さえ部材３５２Ｌに用紙を押さえさせる構成を例示して説明したが、用紙の上流側端部近傍に打針する場合には、押さえ部材３５２Ｌに先ず用紙を押さえさせ、後端側幅整合部材３４４を退避させた後、押さえ部材３５２Ｒに用紙を押さえさせる構成となる。
【００５９】
また、上記実施形態においては、１つの駆動モーターＭにより２つの押さえ部材３５２Ｒ，３５２Ｌを駆動する構成を例示して説明したが、押さえ部材３５２Ｒ，３５２Ｌのそれぞれに駆動モーターを備える構成であっても良い。
この場合、綴じ位置に応じて、押さえ部材３５２Ｒ，３５２Ｌの動作を切り替えることとしても良い。即ち、綴じ位置が、用紙の端部近傍の場合には、時間差で押さえ部材３５２Ｒ，３５２Ｌを下降させ、綴じ位置が、用紙の端部近傍でない場合には、押さえ部材３５２Ｒ，３５２Ｌを同時に下降させる構成としても良い。
【００６０】
また、上記実施形態においては、カム部３５４Ｒ，３５４Ｌが同一形状の場合を例示して説明したが、カム部３５４Ｒ，３５４Ｌの形状を異なるものとしても良い。例えば、カム部３５４Ｌがカム部３５４Ｒよりアーム部３５２ｂの基端部に当接している時間（押さえ部材３５２Ｌを上げている時間）が長くなるような形状としても良い。
このように、押さえ部材３５２Ｒ，３５２Ｌの上昇のタイミングをずらすことで、軸部Ｇ２を回すための駆動モーターＭの駆動負荷を減らすことができる。
【符号の説明】
【００６１】
１  画像形成システム
１００  画像形成装置
２００  中間搬送装置
３００  中綴じ処理装置（用紙処理装置）
３１０  中折り部
３２０  搬送部
３３０  中綴じ処理部
Ｓ  支持部
Ｓ１  基台部
Ｓ２  立設部
３４０  集積部
３４１  鞍掛け部
３４１ａ  切り欠き部
３４２  ガイド部材
３４３  先端側幅整合部材
３４４  後端側幅整合部材
３５０  打針部
３５１  打ち込み部
３５２Ｒ，３５２Ｌ  押さえ部材
３５２ａ  案内溝
３５２ｂ  アーム部
３５２ｃ  付勢部材
３５３  駆動部
Ｍ  駆動モーター
Ｇ２  軸部
３５４Ｒ，３５４Ｌ  カム部
３６０  受針部
３６１  針受け部
３６１ａ  凹部
３６２  支持部
３６２ａ  バネ部材
３７０  断裁部
３８０  排出部
４００  平綴じ処理装置
５０１  操作表示部
５０２  中央制御部
５０３  画像形成制御部
５０４  中間搬送制御部
５０５  中綴じ処理制御部（制御部）
５０６  平綴じ処理制御部
【図１】
2015051823.tif 000003
【図２】
2015051823.tif 000004
【図３】
2015051823.tif 000005
【図４】
2015051823.tif 000006
【図５】
2015051823.tif 000007
【図６】
2015051823.tif 000008
【図７】
2015051823.tif 000009
【図８】
2015051823.tif 000010
【図９】
2015051823.tif 000011
【図１０】
2015051823.tif 000012